(57)【要約】【課題】  ワイヤレスオーディオ・ビジュアルにおいて、再生音質を向上できるダイバーシティ方式の受信機およびサウンドシステムを実現する。【解決手段】  情報をブロックデータとして順次間欠的に無線通信される伝送信号を受信して、それぞれ受信信号として出力する複数の受信アンテナ２２を設ける。複数の受信アンテナ２２からの複数の各受信信号の内一つを選択するためのアンテナ切替部２３を設ける。選択された受信信号を復調し、復調した復調ブロックデータを出力するための受信部２５および復調部２６を設ける。受信信号のエラー状態を検出するエラー確認部３０を設ける。上記検出結果に応じてアンテナ切替部２３を作動させるＡＮＤ／判定回路３３を設ける。後尾に識別信号が含まれた各ブロックデータ間に、ブロックデータタイミング判定／制御部２９をＡＮＤ／判定回路３３が識別信号に基づき作動するように設ける。【選択図】  図１
2006060718.tif 000002
【特許請求の範囲】
【請求項１】
情報をブロックデータとして順次間欠的に無線通信される伝送信号を受信して、それぞれ受信信号として出力する複数の受信アンテナと、
前記複数の受信アンテナからの複数の各受信信号の内一つを選択するためのアンテナ切替手段と、
選択された受信信号を復調し、復調した復調ブロックデータを出力するための受信復調手段と、
前記受信信号のエラー状態を検出するエラー検出手段と、
前記エラー検出手段の検出結果に応じて、前記アンテナ切替手段を作動させるアンテナ切替作動手段と、
前記アンテナ切替作動手段の作動を制御する制御手段と、を備え、
前記ブロックデータの後尾には、識別信号としてエンドパルスが含まれており、
前記制御手段は、前記識別信号に基づき前記各ブロックデータ間に前記アンテナ切替作動手段を作動するように制御するものであることを特徴とするダイバーシティ方式の受信機。
【請求項２】
さらに、前記各ブロックデータ間に前記複数の受信アンテナを切替たか否かを前記識別信号により判定する判定手段と、
前記各ブロックデータ間に前記複数のアンテナが切替られなかったとき、受信復調中の復調ブロックデータの出力を停止するブロックデータスキップ手段とを、備えている請求項１記載のダイバーシティ方式の受信機。
【請求項３】
さらに、復調ブロックデータ毎に記憶する記憶手段を備えており、
前記ブロックデータスキップ手段は、前記各ブロックデータ間に前記複数の受信アンテナが切替られなかったとき、前記記憶手段から前の復調ブロックデータを受信復調中の復調ブロックデータに代えて出力するようになっている請求項２記載のダイバーシティ方式の受信機。
【請求項４】
さらに、前記ブロックデータの先頭に識別信号としてスタートパルスが含まれており、
前記判定手段は、受信アンテナ切替のあと、次のデータブロックを受信しているとき、スタートパルスでなく、エンドパルスが先に受信されたと検出したとき前記各ブロックデータ間に前記複数の受信アンテナが切替られなかったと判定するものである請求項２または３記載のダイバーシティ方式の受信機。
【請求項５】
情報をブロック単位にまとめたブロックデータを生成し出力するブロック信号生成手段と、
前記ブロックデータに対し、ブロックデータの識別性を向上するための識別信号を付加する識別信号付加手段と、
前記ブロックデータから、無線通信のための伝送信号を生成し無線にて送信するための送信手段と、
請求項１ないし４の何れか１項に記載の受信機と、を備えていることを特徴とするダイバーシティ方式の送受信システム。
【請求項６】
前記情報は、デジタルオーディオ信号であり、
請求項１ないし４の何れか１項に記載の受信機、または請求項５記載の送受信システムと、
前記復調されたデジタルオーディオ信号をアナログオーディオ信号に変換する信号変換手段と、
前記信号変換手段からのアナログオーディオ信号をスピーカアウトするスピーカと、を備えるサウンドシステム。
【発明の詳細な説明】
【技術分野】
【０００１】
本発明は、オーディオ信号などの情報をデジタル信号として無線にて送信し、その送信された伝送信号を受信し上記情報を再生して出力するときに、上記出力に発生する歪を低減できるダイバーシティ方式の受信機、送受信システム、および上記受信機または送受信システムを備えたサウンドシステムに関するものである。
【背景技術】
【０００２】
従来、デジタルワイヤレス方式で信号を送受信する場合、基本的に、送信機側にＡ／Ｄコンバータを設け、外部アナログ信号を入力してデジタル化し、そのデジタル信号をデジタル方式で送信する（データは、ブロックデータとしてシリアル送信）。
【０００３】
受信機側はデジタル受信（データは、ブロックデータとしてシリアル受信）された信号を復調し、Ｄ／Ａ変換することで、アナログ信号に復元される。
【０００４】
一般的にデジタルワイヤレス方式で信号を受信する場合、他の電子機器の輻射や、送信機側から送られた送信信号が、壁、天井、屋根、周囲の金属部等により反射、吸収（いわゆるフェージング）が起こり、正常に受信できない場合が発生する。
【０００５】
そのため、デジタルワイヤレス方式では、特許文献１（移動通信における接続制御方式）や特許文献２（アンテナダイバーシチ受信機）に開示されているように、受信機側に複数のアンテナを設け、一つのアンテナで受信中に、外部の影響等で受信エラーが発生したとき、別のアンテナで受信し、通信路を複数確保して受信を安定化するダイバーシティ方式(アンテナ切替（きりかえ）方式)が取られている場合が多い。
【特許文献１】特開平２−１９２３３０（公開日：１９９０年７月３０日）
【特許文献２】特開２００２−１９８８７９（公開日：２００２年７月１２日）
【発明の開示】
【発明が解決しようとする課題】
【０００６】
ここで問題になるのが、受信時に、受信エラーを検知し、ダイバーシティアンテナを切替時、ブロックデータの信号を受信している時に、アンテナを切替ると、ブロックデータの途中で切替てしまい一塊になったブロックデータを寸断し、破壊することになる。これにより、正常な信号を受信できなくなり、信号が出なかったり、ノイズ等の異常音が発生したり、または、ダイバーシティアンテナ切替後のブロックデータが壊れているため、また、受信エラーと判定し、再度、もう一方のアンテナに切替ると言うシーソー状態が起こる。
【０００７】
このシーソー状態に陥ると、受信信号のデジタル信号を、アナログ信号に変換すると、信号が破壊されているため、Ｄ／Ａ変換時、オーディオ出力は音が常時出なかったり、ノイズ等の異音が常時発生したりといった不安定状態が発生する。
【０００８】
このような上記従来の構成では、上記不安定状態に対し、特に対策方法が無く、ダイバーシティアンテナ切替時に受信デジタル信号が寸断されることにより、一部破壊されるため、正常な波形再生ができずノイズ等の異音が発生していた。
【０００９】
この異音を消すため、アンテナ切替時、Ｄ／Ａ変換された再生アナログ信号をミュートする方法が有るが、これは、アンテナ切替時、必ず、アナログ出力を無くす(ミュート動作)ため、結果的に、音が途切れる問題が有った。
【課題を解決するための手段】
【００１０】
本発明に係るダイバーシティ方式の受信機は、上記課題を解決するために、情報をブロックデータとして順次間欠的に無線通信される伝送信号を受信して、それぞれ受信信号として出力する複数の受信アンテナと、前記複数の受信アンテナからの複数の各受信信号の内一つを選択するためのアンテナ切替手段と、選択された受信信号を復調し、復調した復調ブロックデータを出力するための受信復調手段と、前記受信信号のエラー状態を検出するエラー検出手段と、前記エラー検出手段の検出結果に応じて、前記アンテナ切替手段を作動させるアンテナ切替作動手段と、前記アンテナ切替作動手段の作動を制御する制御手段と、を備え、前記ブロックデータの後尾には、識別信号としてエンドパルスが含まれており、前記制御手段は、前記識別信号に基づき前記各ブロックデータ間に前記アンテナ切替作動手段を作動するように制御するものであることを特徴としている。
【００１１】
上記構成によれば、ブロックデータの後尾にエンドパルスを挿入して送信し、エンドパルスの検出から充分短い時間にアンテナ切替時間を設定して、上記切替時間をブロックデータ間の隙間時間より短くでき、絶えず、次のブロックデータの先頭が来る以前に切替ることにより、ノイズ等の異音の発生を削減できる。
【００１２】
上記ダイバーシティ方式の受信機では、さらに、前記各ブロックデータ間に前記複数の受信アンテナを切替たか否かを前記識別信号により判定する判定手段と、前記各ブロックデータ間に前記複数のアンテナが切替られなかったとき、受信復調中の復調ブロックデータの出力を停止するブロックデータスキップ手段とを、備えていてもよい。
【００１３】
上記ダイバーシティ方式の受信機においては、さらに、復調ブロックデータ毎に記憶する記憶手段を備えており、前記ブロックデータスキップ手段は、前記各ブロックデータ間に前記複数の受信アンテナが切替られなかったとき、前記記憶手段から前の復調ブロックデータを受信復調中の復調ブロックデータに代えて出力するようになっていてもよい。
【００１４】
上記ダイバーシティ方式の受信機では、さらに、前記ブロックデータの先頭に識別信号としてスタートパルスが含まれており、前記判定手段は、受信アンテナ切替のあと、次のデータブロックを受信しているとき、スタートパルスでなく、エンドパルスが先に受信されたと検出したとき前記各ブロックデータ間に前記複数の受信アンテナが切替られなかったと判定するものであってもよい。
【００１５】
上記構成によれば、デジタル信号が、ブロックデータとしてサイクリック（順次、間欠的に）に送られるから、このブロックデータ間の隙間、空き時間（この隙間の期間内はブロックデータは送られない）の間にダイバーシティ方式の受信アンテナの切替動作を完了するために、ブロックデータの先頭と後尾に、スタートパルスとエンドパルスを入れて送信する。
【００１６】
上記構成は、このエンドパルスを認識してから、ダイバーシティ方式の各受信アンテナを互いに切替る。アンテナ切替後、次のブロックデータの受信でエンドパルスを受信前に、スタートパルスを、受信できると言うことは、次のブロックデータを壊さずに、ブロックデータ間の隙間時間で、受信アンテナが切替られたことになる。
【００１７】
この場合は、アンテナ切替後に、次のブロックデータ受信するため、ブロックデータを破壊しないので、正常な信号が受信できノイズ等の異音の発生を削減することが可能となる。
【００１８】
ところで、上記動作において、もし、アンテナ切替後、スタートパルスでなく、エンドパルスが先に受信された場合、これは、アンテナ切替時ブロックデータ間の隙間時間内で、アンテナ切替されておらず、次のブロックデータ受信時にアンテナ切替が完了したことであり、ノイズ等の異音発生の原因となる。
【００１９】
上記構成によれば、このような場合は、受信中のブロックデータを信号として採用せず、例えば、Ｄ／Ａコンバータに入力させない（つまり、この次のブロックデータはスキップさせる）。壊れたブロックデータを、Ｄ／Ａに入力するより、壊れたデータは意図的にスキップすることにより、ノイズ等の異音の発生を削減できる。
【００２０】
本発明のダイバーシティ方式の送受信システムは、前記課題を解決するために、情報をブロック単位にまとめたブロックデータを生成し出力するブロック信号生成手段と、前記ブロックデータに対し、ブロックデータの識別性を向上するための識別信号を付加する識別信号付加手段と、前記ブロックデータから、無線通信のための伝送信号を生成し無線にて送信するための送信手段と、上記の何れか１項に記載の受信機と、を備えていることを特徴としている。
【００２１】
本発明のサウンドシステムは、前記課題を解決するために、前記情報は、デジタルオーディオ信号であり、前記の何れかに記載の受信機または前記の送受信システムと、前記復調されたデジタルオーディオ信号をアナログオーディオ信号に変換する信号変換手段と、前記信号変換手段からのアナログオーディオ信号をスピーカアウトするスピーカと、を備えていることを特徴としている。
【００２２】
上記構成によれば、前記の何れかに記載の受信機または前記の送受信システムを設けたことで、ノイズ等の異音の発生を軽減できると共に、異音を目立たなくするミュート機能を省けて音が途切れることも防止できる。
【発明の効果】
【００２３】
本発明に係るダイバーシティ方式の受信機は、以上のように、情報をブロックデータとして順次間欠的に無線通信される伝送信号を受信して、それぞれ受信信号として出力する複数の受信アンテナと、前記複数の受信アンテナからの複数の各受信信号の内一つを選択するためのアンテナ切替手段と、選択された受信信号を復調し、復調した復調ブロックデータを出力するための受信復調手段と、前記受信信号のエラー状態を検出するエラー検出手段と、前記エラー検出手段の検出結果に応じて、前記アンテナ切替手段を作動させるアンテナ切替作動手段と、前記アンテナ切替作動手段の作動を制御する制御手段とを備え、前記ブロックデータの後尾には、識別信号としてエンドパルスが含まれており、前記制御手段は、前記識別信号に基づき前記各ブロックデータ間に前記アンテナ切替作動手段を作動するように制御する構成である。
【００２４】
それゆえ、上記構成は、ブロックデータの後尾にエンドパルスを挿入して送信し、エンドパルスの検出から充分短い時間にアンテナ切替時間を設定して、上記切替時間をブロックデータ間の隙間時間より短くでき、絶えず、次のブロックデータの先頭が来る以前に切替ることにより、ノイズ等の異音の発生を削減できるという効果を奏する。
【発明を実施するための最良の形態】
【００２５】
本発明のダイバーシティ方式の受信機、送受信システムおよびサウンドシステムに係る実施の各形態について図１ないし図８に基づいて説明すると以下の通りである。ダイバーシティ方式とは、複数のアンテナを用いて、送信点から受信点までの電波伝搬経路を複数提供し、最も品質の良い伝送路を選択することによって受信品質の低下を軽減する方策である。本実施の形態では、受信側で複数のアンテナを備えた受信ダイバーシティ方式が採用されている。
【００２６】
まず、本発明に係る受信機では、情報を変調し符号化したブロックデータとして順次間欠的に無線通信される伝送信号を受信するようになっている。上記情報としては、時系列的に連続したデータを含むデジタル信号が好ましく、上記の互いに隣り合う各ブロックデータの間では相関性（つまり相似性）が大きいものとなるものが好ましく、音声を示す例えばオーディオデジタル信号や、動画像を示すビジュアルデジタル信号が挙げられる。
【００２７】
上記無線の伝送信号の規格としては、下記の表１に示す無線ＬＡＮ（Local Area Network）の各規格が挙げられ、必要に応じて各規格の中から選択されればよい。
【００２８】
【表１】
2006060718.tif 000003
【００２９】
表１では、ＩＳＭは、産業化学医療用を示し、ＧＭＳＫは、Gaussian Minimum Shift Keyingを示し、ＦＭは、周波数変調を示し、ＦＳＫは、Frequency Shift Keyingを示し、ＰＬＬは位相同期回路を示し、ＱＰＳＫは、４相位相変調を示し、ＱＡＭは、直交振幅変調を示す。
【００３０】
まず、上記無線の伝送信号を発信するワイヤレス送信機について、図２および図３に基づき説明する。図２に示すように、ワイヤレス送信機では、デジタルワイヤレス方式でデータを搬送波帯域伝送するために、基本的に、Ａ／Ｄコンバータ１１、変調部１２、周波数制御部１３、送信部１４、送信アンテナ１５、波形合成部１６およびスタートパルス／エンドパルス発生部１８が設けられている。
【００３１】
Ａ／Ｄコンバータ１１は、外部から入力されるオーディオ信号やビデオ（ビジュアル）信号などのアナログ信号のデータを上記デジタル化してデジタル信号のシリアルなデータとして出力するように設けられている。
【００３２】
変調部１２は、上記デジタル信号のデータを、無線伝送に好適なように、ブロックデータ化（ブロック符号化）して変調するものである。周波数制御部１３では、搬送波帯域の高周波を生成するようになっている。なお、スペクトル拡散の変調方式を用いる場合、周波数ホッピングのための周波数制御も、周波数制御部１３にて実行される。送信部１４は、変調部１２からの変調されたブロックデータを、周波数制御部１３からの搬送波に重畳して伝送信号を生成するためのものである。そのような伝送信号は、送信アンテナ１５から外部の空間に放射されて、前記データがシリアルに無線伝送される。
【００３３】
さらに、波形合成部１６は、ブロックデータの先頭に識別信号としてスタートパルスを、ブロックデータの後尾に識別信号としてエンドパルスを、Ａ／Ｄコンバータ１１からのデジタル信号に波形合成して変調部１２に出力するように設けられている。また、スタートパルス／エンドパルス発生部１８は、上記スタートパルスおよびエンドパルスを生成して、波形合成部１６に対し出力するようななっている。
【００３４】
前記ブロックデータ化では、データ信号以外に、訂正機能を付与するための、誤り訂正符号（例えば、巡回符号、ＢＣＨ（Bose-Chaudhuri-Hocquenghem）符号、またはリード・ソロモン符号）が付与されている。図３に示すように、上記各ブロックデータ１７では、１ｍｓ〜５０ｍｓの送信期間にてそれぞれブロックデータ毎に順次間欠的に送信され、互いに隣り合うブロックデータ間の隙間期間には、上記ブロックデータの送信期間の１／１０から１／４の期間の搬送波のみの無信号期間Ｓｐ１、Ｓｐ２が設定されている。
【００３５】
さらに、上記各ブロックデータ１７には、その先頭に一方の識別信号としてのスタートパルス１７ａが、ブロックデータ１７の後尾に他方の識別信号としてのエンドパルス１７ｂが、それぞれ付与されている。
【００３６】
（実施の第一形態）
本発明のダイバーシティ方式の受信機に係る実施の第一形態について図１に基づき以下に説明する。図１に示すように、上記受信機２１においては、複数の各受信アンテナ２２をそれぞれ有する受信ダイバーシティ方式となっている。受信機２１は、まず、各受信アンテナ２２において、前記伝送信号がそれぞれ受信されて各受信信号を出力しており、アンテナ（ＡＮＴ）切替部（アンテナ切替手段）２３より上記各受信信号の一方が後述する手段により切替・選択されて、受信部（受信復調手段）２５に入力される。
【００３７】
受信された受信信号は、受信部２５において、周波数制御部２４からの搬送波に対応する高周波信号を用いて検波されて各ブロックデータとなり、各ブロックデータは、復調部（受信復調手段）２６に入力されて、伝送時に付与された誤り訂正信号などの付与信号が除去され復調されて、シリアルのデジタル信号(ブロックデータ群)になる。
【００３８】
上記デジタル信号は、Ｄ／Ａコンバータ（信号変換手段）２８に入力され、発振部２７からのクロック信号に基づきＤ／Ａコンバータ２８においてアナログ信号に変換され、送信機に入力された外部信号と同じアナログ信号が出力される（ここまではワイヤレス受信の基本動作）。
【００３９】
本実施の形態では、さらに、受信機２１は復調部２６で、送られてきたブロックデータが正規の信号か、または正規の信号でないか(データ異常)を確認し、もし異常が有れば、エラー信号を、エラー確認部（エラー検出手段）３０へ送る。上記データ異常の確認は、例えば受信信号レベルが、予め設定された設定レベル値以下の場合や、ブロックデータに含まれる誤り訂正信号によるエラーレートが設定エラー値以上となった場合などが挙げられる。
【００４０】
また、本実施の形態においては、復調部２６から出力されるブロックデータは、ブロックデータタイミング判定／制御部（タイミング制御手段）２９およびスタートパルス（ＳＴ）／エンドパルス（ＥＮＤ）検出部３２にもそれぞれ入力される。ＳＴ／ＥＮＤ検出部３２は、入力されたブロックデータから、スタートパルスおよびエンドパルスの有無をそれぞれ検出し、それらの検出結果をブロックデータタイミング判定／制御部２９に対し出力するものである。
【００４１】
ブロックデータタイミング判定／制御部２９は、例えば図４に示すように、各ブロックデータ１７Ａ、１７Ｂ、１７Ｃの何れかを、現在受信中か、または各ブロックデータ１７Ａ、１７Ｂ、１７Ｃ間の各隙間時間Ｓｐ１、Ｓｐ２の何れかの期間内に有るのかを、例えば上記ＳＴ／ＥＮＤ検出部３２からの検出結果に基づき判定し、その判定結果をＡＮＤ／判定回路（アンテナ切替作動手段）３３に入力する。
【００４２】
ＡＮＤ／判定回路３３は、単にＡＮＤ機能だけでなく、エラー確認部３０より入力されたエラー信号と、ブロックデータタイミング判定／制御部２９から入力された判定結果とに基づき、各受信アンテナ２２の何れを選択するように切替るのか否か判定し、各ブロックデータ１７Ａ、１７Ｂ、１７Ｃ間の各隙間時間Ｓｐ１、Ｓｐ２の期間内でアンテナ切替処理をするようになっている。
【００４３】
ＡＮＤ／判定回路３３で判定された、ダイバーシティアンテナ切替信号は、ＡＮＴ切替部２３に入力され、現在、各受信アンテナ２２の一方が受信部２５に接続されている状態から、他方の受信アンテナ２２に、切替るだけのコントロール信号である。このようにブロックデータ間の各隙間時間Ｓｐ１、Ｓｐ２の期間内でのアンテナ切替により、ブロックデータが破壊されることを防止できる。
【００４４】
（実施の第二形態）
ところで、上記実施の第一形態では、もし、アンテナ切替後、ブロックデータのエンドパルスをブロックデータのスタートパルスより先に受け取った場合、これは、図６に示すように、アンテナ切替が、次のブロックデータの受信時にかかっており、つまり次のブロックデータを破壊していることになる。
【００４５】
そのため、本発明のダイバーシティ式の受信機に係る実施の第二形態においては、アンテナ切替後、先にエンドパルスを検知したとき、その壊れたブロックデータを、破棄し（スキップし）、Ｄ／Ａコンバータ２８に入力しないようになっている。つまり、全く破壊された次のブロックデータをＤ／Ａ変換するより、破壊されたブロックデータをスキップし、Ｄ／Ａコンバータ２８に入力せずに変換しない方がノイズ等の異音の発生を削減できる。
【００４６】
このために、本実施の第二形態では、図５に示すように、復調部２６から順次出力される各ブロックデータを、そのブロック単位毎に記憶し、次のブロック単位のブロックデータを入力して記憶するときに、先のブロック単位のブロックデータをＤ／Ａコンバータ２８に対し出力するメモリ３１が設けられている。
【００４７】
また、メモリ３１は、ブロックデータタイミング判定／制御部２９におけるアンテナ切替後、ブロックデータのエンドパルスをスタートパルスより先に受け取ったとの判定結果に基づき、受信中である次のブロックデータをスキップするようにブロックデータタイミング判定／制御部２９によって制御される。
【００４８】
（実施の第三形態）
本発明に係る実施の第三形態のダイバーシティ式の受信機の場合は、図７および図８に示すように、図１のＳＴ／ＥＮＤ検出部３２に代えて、ＥＮＤ検出部３２ａを設け、各ブロックデータ１７Ａ〜１７Ｃの後尾のみにエンドパルス１７ｂをそれぞれ挿入し、そのエンドパルス１７ｂを検出すると、アンテナ切替はブロックデータ１７Ａ〜１７Ｃ間の隙間時間Ｓｐ１、Ｓｐ２より充分短い時間内に切替るように設定することによりエンドパルス１７ｂを得ると、直ちに受信アンテナ２２を一方から他方に切替ると言う単純な機能でノイズ等の異音発生を削減できる。
【００４９】
（実施の第四形態）
以下に、上記実施の第一ないし第三の各形態の何れかの受信機を用いた、本発明に係るワイヤレス（無線）での、ダイバーシティ方式の送受信システムおよびワイヤレスのサウンドシステムについて説明する。上記送受信システムは、前述の送信機（デジタルオーディオ信号送信手段）１と、上記実施の第一ないし第三の各形態の何れかの受信機２１、２１ａ、２１ｂとを有している。
【００５０】
上記サウンドシステムでは、スピーカが１つの１チャンネル、スピーカが２つの２チャンネル、スピーカが４つの４チャンネル、スピーカが５つの５チャンネル、またはスピーカが６つの５．１チャンネルが採用される。スピーカが４以上では、リアスピーカを備えたサラウンド再生となる。
【００５１】
上記サウンドシステムにおいては、オーディオデジタル信号生成手段と、前述の送信機（デジタルオーディオ信号送信手段）１と、上記実施の第一ないし第三の各形態の何れかの受信機２１、２１ａ、２１ｂと、上記受信機２１、２１ａ、２１ｂからのオーディオアナログ信号を電力増幅するオーディオアンプ（図示せず）と、増幅されたオーディオアナログ信号を音声に変換して出力（スピーカアウト）するスピーカ（図示せず）とが設けられている。なお、上記では、オーディオデジタル信号をオーディオアナログ信号に変換して音声にて出力する例を挙げたが、オーディオデジタル信号から、直接、音声にて出力するように設定してもよい。するように設定してもよい。
【００５２】
オーディオデジタル信号生成手段としては、音楽や音声を示すオーディオデジタル信号を含む、ＣＤやＤＶＤやハードディスクといったデジタル信号を記録した記録媒体から上記オーディオデジタル信号を再生する再生装置や、インターネットなどからの通信により伝送される上記オーディオデジタル信号が配信される情報端末が挙げられる。
【００５３】
ところで、デジタルワイヤレス通信にて、音声信号を飛ばし受信するサウンドシステムが普及してきたが、受信機に繋ぐパワーアンプの高出力化、ワイヤレスシステムの高Ｓ／Ｎ化により、上記サウンドシステムでは、ダイバーシティ方式の各アンテナの切替時におけるノイズ等の異音の発生が目立つようになってきた。つまり、受信機にて、受信信号のエラーを検出時、直ちに、ダイバーシティ方式の各アンテナを切替ていたため、アンテナ切替によりブロックデータを寸断することがあり、ブロックデータを壊し、ノイズ発生に繋がっていた。
【００５４】
本発明に係るサウンドシステムでは、本発明の受信機を採用することで、ブロックデータを壊す可能性を減らし、その結果、ノイズ等の異常音発生を抑えることができる。すなわち、このようなサウンドシステムでは、本発明に係る受信機を用いたことにより、ブロックデータの間にて各受信アンテナ２２の切替を実行できるので、受信したブロックデータを確実に受信できて、そのようなブロックデータに基づき復元されたオーディオアナログ信号の信号品質を向上できて、良好な再生音声品質を得ることができる。
【００５５】
また、上記サウンドシステムにおいては、たとえ、ブロックデータの受信中に各受信アンテナ２２の切替を実行した場合でも、上記ブロックデータの出力を停止（スキップ）し、上記ブロックデータを、前のブロックデータに振り替えることにより、復元されたオーディオアナログ信号の信号品質の劣化を抑制できて、良好な再生音声を得ることが可能となる。
【００５６】
さらに、上記サウンドシステムでは、ブロックデータの受信中に各受信アンテナ２２の切替を実行しようとした場合でも、上記切替を今のブロックデータの受信が完了するまで一時停止できて、受信中のブロックデータの破壊を防止するので、復元されたオーディオアナログ信号の信号品質の劣化を抑制できて、良好な再生音声を得ることが可能となる。
【００５７】
なお、上記実施の各形態では、情報として、オーディオアナログ信号を用いた例を挙げたが、本発明は、時系列的に連続性を有し、互いに隣り合うブロックデータのデータ内容に相関性が高い、データ、例えばビデオデータについても適用可能である。よって、本発明は、ＤＶＤを用いた家庭内ムービーの、リアスピーカを用いたサラウンドシステムなどのサウンドシステムといったワイヤレスオーディオ・ビジュアルの用途に好適に利用できる。
【産業上の利用可能性】
【００５８】
本発明のダイバーシティ方式の受信機、送受信システムおよびそれを用いたサウンドシステムは、無線にて、再生音声を伝送し復調して良好に復元することが可能となるので、家庭内ムービーのサラウンドシステムなどにおけるワイヤレスでのオーディオ・ビジュアルの各用途に好適に利用できる。
【図面の簡単な説明】
【００５９】
【図１】本発明に係るダイバーシティ方式の受信機における実施の第一形態を示す回路ブロック図である。
【図２】本発明に係るダイバーシティ方式の送受信システムにおける送信機の回路ブロック図である。
【図３】上記送信機からのブロックデータの伝送信号を示す波形図である。
【図４】上記受信機でのブロックデータの伝送信号を示す波形図である。
【図５】本発明に係るダイバーシティ方式の受信機における実施の第二形態を示す回路ブロック図である。
【図６】上記受信機でのブロックデータの伝送信号を示す波形図である。
【図７】本発明に係るダイバーシティ方式の受信機における実施の第三形態を示す回路ブロック図である。
【図８】上記受信機でのブロックデータの伝送信号を示す波形図である。
【符号の説明】
【００６０】
２２    受信アンテナ
２３    アンテナ切替部（アンテナ切替手段）
２５    受信部（受信復調手段）
２６    復調部（受信復調手段）
２９    ブロックデータタイミング判定／制御部（制御手段）
３０    エラー確認部（エラー検出手段）
３３    ＡＮＤ／判定回路（アンテナ切替作動手段）
【図１】
2006060718.tif 000004
【図２】
2006060718.tif 000005
【図３】
2006060718.tif 000006
【図４】
2006060718.tif 000007
【図５】
2006060718.tif 000008
【図６】
2006060718.tif 000009
【図７】
2006060718.tif 000010
【図８】
2006060718.tif 000011